(57)【要約】      （修正有）【課題】陸屋根または平坦な基礎地面に効率よく設置でき、低丈架台における太陽電池パネルのメンテナンスが容易な太陽電池パネル架台を提供する。【解決手段】太陽電池パネル架台１は、メンテナンスの際に、下側端縁固定ボルト８を外し、上側端縁固定ボルト９を緩め、太陽電池パネルを上側端縁固定ボルト９のヘッドに衝合するまで太陽電池パネル６を回動させて開放し、この開放状態を、太陽電池パネルの下側面（裏面）に設けたフック孔に引っ掛けるフック付き止め棒１２により保持する。フック付き止め棒１２は、太陽電池パネル架台１における左右の上部フレーム３にそれぞれ回動可能に連結する。太陽電池パネル６の開放回動操作のため、太陽電池パネル６には、ねじ孔に対して中心が整列する長孔またはテーパ付きの孔を設ける。この開放により太陽電池パネル６の裏面にアクセスしてメンテナンス作業が容易となる。【選択図】図２
0003173603.tif 000002
【実用新案登録請求の範囲】
【請求項１】
陸屋根または平坦な基礎地面に設置する太陽電池パネル架台であって、
矩形の底部フレームと、
矩形の上部フレームと、
前記底部フレーム及び前記上部フレームとを互いに離れた位置で水平状態に固定するよう、前記底部フレーム及び前記上部フレームの４隅を固定する、低丈である２個の前方支柱部材及び高丈である２個の後方支柱部材と、
前記前方及び後方の支柱部材の上方端部に最適角度で傾斜するよう設け、また太陽電池パネルの上側端縁及び下側端縁を、それぞれワッシャを介して固定支持する端縁固定ボルトが螺合するねじ孔を設けた載置斜面と、
下側端縁及び上側端縁のいずれか一方の端縁固定ボルトを外し、下側端縁及び上側端縁の他方の端縁固定ボルトを緩め、緩めた端縁固定ボルトのヘッドに衝合するまで太陽電池パネルを回動させ、端縁固定ボルトを外した側の太陽電池パネル端縁を開放し、太陽電池パネルの下側面に設けたフック孔に引っ掛けて開放状態を保持するよう、前記上部フレームに回動可能に連結した１対のフック付き止め棒と、
を備えたことを特徴とする太陽電池パネル架台。
【請求項２】
請求項１記載の太陽電池パネル架台において、前記太陽電池パネルには、前記前方及び後方の支持部材の上側端部に設けた載置斜面に設けたねじ孔に対して中心が整列する長孔を設けた、太陽電池パネル架台。
【請求項３】
請求項１記載の太陽電池パネル架台において、前記太陽電池パネルには、前記下側端縁及び上側端縁の固定ボルトが挿通するテーパ付きの孔を設けた、太陽電池パネル架台。
【考案の詳細な説明】
【技術分野】
【０００１】
本考案は、陸屋根または平坦な基礎地面に設置する太陽電池パネル架台に関する。
【背景技術】
【０００２】
陸屋根または平坦な基礎地面に設置する太陽電池パネル架台としては、例えば、特許文献１（特開平８−２７４３６４号）に記載された、太陽電池パネル（モジュール）を所定角度に傾斜して屋根に固定する複数個の脚部と、相隣接する脚部間の外周部を覆う保護板とにより構成するものがある。保護板は、脚部間の隙間から吹き込む風による風圧で太陽電池パネルを架台に固定する固定部材、及び架台を陸屋根または平坦な基礎地面に固定する固定部材が破壊されてしまうのを回避できるよう架台の下側空間に風が吹き込むのを防止する。
【先行技術文献】
【特許文献】
【０００３】
【特許文献１】特開平８−２７４３６４号公報
【考案の概要】
【考案が解決しようとする課題】
【０００４】
太陽電池パネル（モジュール）は、メンテナンスフリーと言われているものの、年に１回程度は、架台自体のメンテナンス及びモジュール裏面の機器・配線の動作確認作業をする必要があり、特許文献１の架台の場合、メンテナンスの都度、太陽電池パネル自体、または保護板を架台の脚部から取り外さなければならず、作業が面倒である。
【０００５】
一般的に、架台は、傾斜して取り付ける太陽電池パネルの下側端縁を支持する低丈の前方脚部分と、太陽電池パネルの上側端縁を支持する高丈の後方脚部分を有する。架台に太陽電池パネルを固定する特許文献１の場合、太陽電池パネルを取り外すことなく、太陽電池パネル裏面の機器・配線の動作確認及び清掃を含めたメンテナンス作業を行うためには、低丈の前方脚部分の高さを大きくとって太陽電池パネル下側の空きスペースを大きくする必要がある。
【０００６】
太陽電池パネルのモジュールを隙間なく配置して設置効率を向上するには、図１（ａ），（ｂ）に示すように、同一傾斜角度でモジュールを支持する架台の高さを順次に高くして縦列させ、モジュールが共通傾斜平面上に整列させることが必要となる。そして、個々の架台の前後スパンが１，０００ｍｍである場合、太陽光発電に最も効率がよい３０゜の傾斜角度にし、また裏面の機器・配線の動作確認及びメンテナンス作業が容易に行うことができるよう太陽電池パネル下側の空きスペースを大きくするために、最前列に配置する低丈架台の低丈前方脚部分の高さを、例えば、図１（ａ）に点線で示すように、１，０００ｍｍ（１ｍ）にすると、最後尾架台における高丈後方脚部分の高さは、２，７３４ｍｍとなる。さらに個々の架台の前後スパンが１，５００ｍｍである場合、図１（ｂ）に点線で示すように、最後尾架台における高丈後方脚部分の高さは、３，６０１ｍｍとなってしまう。
【０００７】
いずれにせよ、順次に高くなる架台を前後に隙間なく縦列させる場合、最後尾架台の高さが３，０００ｍｍ（３ｍ）前後になってしまい、高所作業台が必要となる面倒さを回避するため、また建築基準法による高さ制限を順守するためにも、太陽光発電に最も効率がよい３０゜の角度より小さい傾斜角度に抑えられてしまうことになる。
【０００８】
したがって、本考案の目的は、太陽光発電に最適な３０゜の傾斜角度を維持しつつ、最後尾架台における高丈後方脚部分の高さが低くなるようにするため、図１（ａ），（ｂ）に実線で示すように、低丈前方脚部分の高さを２００ｍｍ（０．２ｍ）にしても、最前列の低丈架台におけるモジュールのメンテナンス作業を容易に行うことができる、太陽電池パネル架台を得るにある。
【課題を解決するための手段】
【０００９】
この目的を達成するため、本考案は、陸屋根または平坦な基礎地面に設置する太陽電池パネル架台であって、矩形の底部フレームと、矩形の上部フレームと、前記底部フレーム及び前記上部フレームとを互いに離れた位置で水平状態に固定するよう、前記底部フレーム及び前記上部フレームの４隅を固定する、低丈である２個の前方支柱部材及び高丈である２個の後方支柱部材と、前記前方及び後方の支柱部材の上方端部に最適角度で傾斜するよう設け、また太陽電池パネルの上側端縁及び下側端縁を、それぞれワッシャを介して固定支持する端縁固定ボルトが螺合するねじ孔を設けた載置斜面と、下側端縁及び上側端縁のいずれか一方の端縁固定ボルトを外し、下側端縁及び上側端縁の他方の端縁固定ボルトを緩める、すなわち、ボルトを外す方向にねじ戻すが、ねじ孔から外れない状態にし、緩めた端縁固定ボルトのヘッドに衝合するまで太陽電池パネルを回動させ、端縁固定ボルトを外した側の太陽電池パネル端縁を開放し、太陽電池パネルの下側面に設けたフック孔に引っ掛けて開放状態を保持するよう、前記上部フレームに回動可能に連結した１対のフック付き止め棒と、を備えたことを特徴とする。
【考案の効果】
【００１０】
本考案太陽電池パネル架台によれば、たとえ、周囲を風防板で囲ったとしても、太陽電池パネル自体または風防板を架台の脚部から取り外すことなく、また低丈の前方脚部分の高さを大きくする必要はなく、メンテナンスの際に、下側端縁固定ボルトを外し、上側端縁固定ボルトを緩め、太陽電池パネルを上側端縁固定ボルトのヘッドに衝合するまで太陽電池パネルを回動させて開放し、この開放状態を、太陽電池パネルの下側面（裏面）に設けたフック孔に引っ掛けるフック付き止め棒により保持することにより太陽電池パネル６の裏面にアクセスしてメンテナンス作業が容易となる。
したがって、低丈の前方脚部分の高さを２００ｍｍ（０．２ｍ）程度の低いものであっても容易にメンテナンス作業を行え、順次に高くなる架台を前後に隙間なく縦列させる場合に、最後尾架台の高さを低く抑えることができ、建築基準法に適合し易くなる。
【００１１】
本考案の好適な実施形態において、前記太陽電池パネルには、前記前方及び後方の支持部材の上側端部に設けた載置斜面に設けたねじ孔に対して中心が整列する長孔、または前記下側端縁及び上側端縁の固定ボルトが挿通するテーパ付きの孔を設ける。
【００１２】
つぎに、図面につき、本考案の好適な実施形態を説明する。
【図面の簡単な説明】
【００１３】
【図１】本考案による太陽電池パネル架台を複数個縦列配置した状態を実線で示し、従来構成の状態を点線で示す概略図であり、（ａ）は個別の架台における前後スパンが１０００ｍｍ、（ｂ）はこの前後スパンが１，５００ｍｍである場合を示す。
【図２】は本考案による太陽電池パネル架台の好適な実施形態の設置状態を示す斜視図であり、
【図３】図２に示す太陽電池パネル太陽電池パネルを回動させて開放状態に保持した状況を示す斜視図であり、
【図４】図３の開放状態を下側から見た斜視図である。
【考案を実施するための形態】
【００１４】
本考案太陽電池パネル架台１は、図２に示すように、矩形の底部フレーム２と、矩形の上部フレーム３と、底部フレーム２及び上部フレーム３とを互いに離れた位置で水平状態に固定するよう、底部フレーム２及び上部フレーム３の４隅を固定する、低丈である２個の前方支柱部材４及び高丈である２個の後方支柱部材５とにより構成する。本考案太陽電池パネル架台１は、太陽電池モジュール６ａを支持する太陽電池パネル６が最大傾斜状態のとき正午に太陽に正対するよう、陸屋根または平坦な基礎地面に設置する。この設置には、例えば、底部フレーム２に設けた貫通孔を通して陸屋根または基礎地面にアンカー（図示せず）を打ち込むことによって架台を固定する。
【００１５】
本考案において、用語「前方」及び「後方」に関しては、太陽に向かって前側を「前方」、それよりも後ろ側を「後方」と称し、用語「左右」は、前方に向かって「左／右」を意味する。
【００１６】
前方及び後方における４個の支柱部材４，５の上方端部には、それぞれ、太陽電池パネル６を最適な角度、例えば、３０゜にして固定できるよう、水平に対して３０゜の角度で傾斜する載置斜面７を設け、これら載置斜面７には太陽電池パネル６の上側端縁及び下側端縁をそれぞれ固定支持する上側端縁固定ボルト８及び下側端縁固定ボルト９が螺合するねじ孔１０を設ける。
【００１７】
本考案太陽電池パネル架台１は、メンテナンスの際に、図３に示すように、下側端縁固定ボルト９を外し、上側端縁固定ボルト８を緩め、太陽電池パネル６を、ワッシャ１４を介して上側端縁固定ボルト８のヘッドに衝合するまで太陽電池パネル６を回動させて開放し、この開放状態を、太陽電池パネルの下側面（裏面）に設けたフック孔１１（とくに図４参照）に引っ掛けるフック付き止め棒１２により保持する。フック付き止め棒１２は、太陽電池パネル架台１における左右の上部フレーム３にそれぞれ回動可能に連結する。太陽電池パネル６の開放回動操作のため、太陽電池パネル６には、これらねじ孔１０に対して中心が整列する長孔１３を設ける。太陽電池パネル６は、下側端縁及び上側端縁の固定ボルト８，９に挿通したワッシャ１４に対して、ねじ孔１０にねじ込んだ固定ボルト８，９のヘッドが圧着することによって太陽電池パネル架台１にしっかりと固定される。代案として、長孔１３の代わりに、太陽電池パネル６に、テーパ付きの孔を設けることができる。
【００１８】
このように低丈の前方支柱部材４側で太陽電池パネル６を開放できるため、本考案の太陽電池パネル架台１によれば、前方支柱部材４の高さが２０ｃｍ程度の低いものであっても、また周囲を風防ボードで遮蔽したとしても、太陽電池パネル６における裏面の配線又は機器（簡単のため図示せず）にアクセスしてメンテナンス作業を行うスペースを確保でき、したがって、発電効率上最適な３０゜の角度よりも小さい傾斜角度に抑えることなく、架台を複数個隙間なく縦列配置できるようになる。
【００１９】
図示はしないが、勿論、太陽電池パネル６の上側端縁側の端縁固定ボルト８を外し、下側端縁側の端縁固定ボルト９を緩め、丈の高い後方支柱部材５側で太陽電池パネル６を開放することもできる。開放度は、ねじ孔からねじ戻して緩める端縁固定ボルトのねじ孔から露出する長さ、及び太陽電池パネルの下側面に設けるフック孔１１の位置、フックつき止め棒１２の長さに基づく。したがって、端縁固定ボルトは比較的長いボルトを使用し、またフック孔１１は複数個設けると好適である。
【符号の説明】
【００２０】
１  太陽電池パネル架台
２  底部フレーム
３  上部フレーム
４  前方支柱部材
５  後方支柱部材
６  太陽電池パネル
６ａ  太陽電池モジュール
７  載置斜面
８  上側端縁固定ボルト
９  下側端縁固定ボルト
１０  ねじ孔
１１  フック孔
１２  フック付き止め棒
１３  長孔
１４  ワッシャ
【図１】
0003173603.tif 000003
【図２】
0003173603.tif 000004
【図３】
0003173603.tif 000005
【図４】
0003173603.tif 000006